(57)【要約】【目的】腰痛予防又は緩和用具に腰部固定保護機能のみならず、作業動作諸条件における上体屈伸復元動作にサポート機能を付与する。【構成】腰部を固定し保護するため、骨盤及び骨盤寄りの腰椎付近を背面から腰部形状に沿ってガードを可能とする弾性及び剛性材からなる腰部プロテクト板１を構成する。腰部プロテクト板１を有効機能させるための取付バンド１’を該腰部プロテクト板１に一体構成する。上体前屈位姿勢からの姿勢復元動作をサポートするため、背骨を中心位置にし剛性材からなる弾性機能を有して腰部プロテクト板１と一体の上体サポート板２を構成する。上体サポート板２を有効機能させるための背負バンド２’を該上体サポート板２’に備える。作業動作諸条件において、腰部の固定保護と同時に上体前屈位姿勢からの復元動作をサポートする。【選択図】        図１
2004283423.tif 000002
【特許請求の範囲】
【請求項１】
腰痛を誘発しやすい作業動作諸条件で該腰痛予防又は緩和する手段において、腰部を固定保護するため腰部に固定装着される腰部プロテクト板と、背骨に沿うようにして腰部プロテクト板に一体構成され、背中に装着し上体前屈位姿勢からの姿勢復元動作をサポートするため弾性機能を有する上体サポート板と、から成ることを特徴とする腰痛プロテクター
【請求項２】
腰部プロテクト板が、腰部の固定保護と共に一体構成する上体サポート板の弾力負荷に対する耐荷重機構を備え弾性を有する剛性材で構成され、腰部所定位置に該機能を妨げることなく固定装着を可能とするための取付バンドを備えたことを特徴とする請求項１記載の液温表示装置。
【請求項３】
上体サポート板が、弾性を有する剛性材で構成され、所定の前屈位姿勢復元動作サポート機能を可能とするため、背骨に沿って上体背面に該上体サポート板を装着可能とする背負バンドを備えたことを特徴とする請求項１又は２記載の腰痛プロテクター。
【請求項４】
作業動作諸条件において、上体サポート板と上体サポート板を一体構成で支える腰部プロテクト板それぞれが有する機能構成の限度を超える過度の前屈位角度姿勢の場合に作動可能とし、一体構成の腰部プロテクト板及び上体サポート板それぞれが有する所定の機能構成を損なうことのないようにするため、上体サポート板の腰部プロテクト板寄りの所要位置に所定方向に所要のばね力を構成可能とするスプリング装置を備える連結部を設けたことを特徴とする請求項１又は２，３記載の腰痛プロテクター。
【発明の詳細な説明】
【０００１】
【発明が属する技術分野】
本発明は、腰痛予防又は腰痛緩和などに用いられる腰痛プロテクターに関するものである。
【０００２】
【従来の技術】
従来腰痛予防又は腰痛緩和については、日常生活習慣又は作業動作諸条件における異常姿勢などが大きく関わることから、この予防又は緩和のための姿勢矯正や筋力アップ及びストレッチなどにおける対症マニアルがありかつ指導もなされている。
【０００３】
腰痛予防又は腰痛緩和用具については、腰痛保護ベルトや骨盤固定バンド等それぞれの使用及び利用の効果を表示して多く実用に供されている。しかし、これら用具のものは、腰部付近の背骨がおさまるようにして腰部に装着するように又は骨盤の上に巻くように指示されるもので、いずれも腰部や骨盤などを固定し保護するコルセット効果を期待するものである。
【０００４】
しかし、腰痛を誘発させてしまう日常生活習慣又は作業動作諸条件における姿勢などについて、例えば前屈みの姿勢での多い人や思い荷物などをよく持ち又は持ち上げる人などに多くみられる変形脊椎症・椎間板ヘルニアや過激な運動などでの腰椎分離症等の各症状及び更に筋力の低下によるものが主たる腰痛原因であるといわれることから、腰部又は骨盤固定保護のみを目的とする単機能のコルセット効果のみでは、前記姿勢変位諸条件において、腰痛予防又は腰痛緩和における有効な手段のものであるとはいえないという問題点があった。
【０００５】
【発明が解決しようとする課題】
解決しようとする問題点は、現在利用されている腰痛予防又は腰痛緩和用具が、単に腰部保護又は骨盤の固定で腰痛予防又は緩和への対策効果を期待しようとするものであり、日常生活習慣又は作業動作諸条件における姿勢変位で誘発される腰痛の三大原因「骨格・筋肉・血行」において、特に骨格・筋肉について所要とするサポート機能手段がない点である。
【０００６】
【課題を解決するための手段】
本発明は、腰部保護又は骨盤固定などの効果に加え更に作業動作諸条件での姿勢変位における骨格及び筋力をサポート可能とする手段において、腰部を固定し保護するため弾性を有し剛性材で構成し腰部に固定装着される腰部プロテクト板と、背骨に沿うようにして該腰部プロテクト板に所要の強度を有して支持されるようにして一体構成されることで背中に装着可能とし、上体前屈位姿勢からの姿勢復元動作をサポートするための上体サポート板と、から成ることを最も主要な特徴とする。これにより、日常習慣又は作業動作諸条件での姿勢変位における復元動作において骨格及び筋力のサポートを可能にするという目的を実現した。
【０００７】
【実施例】
本発明腰痛プロテクターの一実施例であって、図１は本発明の使用効果を示す説明図で、図２は背負バンド２’の状態を示す正面図、図３は図２の背面図、図４は腰部プロテクト板１と上体サポート板２間に設けられたスプリング装置４を備える連結部３の状態を示す説明図である。
以下図面に基づき、実施例について詳細に説明する。
【０００８】
図１〜３において、腰部を固定し保護する腰部プロテクト板１は、背骨を中央位置にし骨盤及び骨盤寄りの腰椎付近を背面よりガードできるように弾性を有する剛性材で腰部形状に沿うように形成されている。
そして、腰部プロテクト板１と一体構成され、弾性及び柔軟性材からなる取付バンド１’によって、該腰部所定位置に腰部プロテクト機能を損なうことのないように固定装着されるようになされている。
【０００９】
上体サポート板２は、背骨を中央位置にし腰部プロテクト板１から胸椎までを弾性を有する剛性材で腰部プロテクト板１に一体構成され、作業動作諸条件で行われる前屈位姿勢からの姿勢復元動作をサポート可能とする弾性機能を有している。
そして、所定のサポート機能が作動できるようにするため、上体サポート板２に備えられ所定の強度を有する背負バンド２’によって、該上体サポート板を背骨に沿うようにし背中に装着できるようになされている。
【００１０】
なお、上体サポート板２を一体構成する腰部プロテクト板１は、その有する腰部固定保護機構と共に作業動作諸条件で行われる前屈位角度条件において、腰部プロテクト板１を基盤として動作する上体サポート板２の不特定弾力負荷にも耐えることができるように設定がなされている。
【００１１】
図４は、上体サポート板２においてその有する所定の弾性機能が、作業諸条件で該上体サポート板２における弾性機能限度を超える過度な前屈位角度の場合において、一体構成される上体サポート板２及び腰部プロテクト板１のそれぞれ所要とする所定の機能構成が損なわれることのないようにするため、上体サポート板２の腰部プロテクト板１寄りの所定位置に、所定方向に所要のばね力を構成するスプリング装置４を備えて作動する連結部３が剛性構造で設けられている。
【００１２】
このようになっていっると、日常生活習慣又は作業動作諸条件において誘発されやすいといわれる腰痛原因「変形性脊椎症」・「腰椎分離症」又は「椎間板ヘルニア」などの骨格に関わるものや、筋肉疲労及び筋力低下などが、該腰部プロテクト板１による骨盤及び骨盤寄りの腰椎付近を背面から固定保護する腰痛予防緩和効果に加え、上体前屈位姿勢からの姿勢復元動作をサポートする上体サポート板２を一体構成してその有する弾性機能を妨げ損なうことなく支持することで、骨盤を基盤とする上体前屈位姿勢復元諸動作がサポートされ筋肉疲労及び筋力低下における負荷の軽減と同時に背骨のゆがみや変形等も予防することができるものである。
【００１３】
なお、本発明は上記実施例に限定されなければならない理由はなく、例えば腰痛予防又は緩和のため腰部を保護しかつ上体の前屈位姿勢からの姿勢復元動作をサポートする手段において、骨盤など腰部を固定し保護するために固定装着する腰部プロテクト板１に一体構成され、上体の前屈位姿勢からの姿勢復元動作をサポート可能とする上体サポート板２などの機能構成が他の形状のものであっても、骨盤など腰部を固定保護しかつ上体前屈位復元動作をサポート可能とする機能構成が、上記実施例における各条件を具備するものであれば良いということはいうまでもない。
【発明の効果】
以上説明した本発明の液温表示装置について、次に記載する効果を奏する。
【００１４】
請求項１の腰痛プロテクターが、腰部を固定し保護する腰部プロテクト板と一体の上体サポート板を構成し、作業動作諸条件における上体の前屈位姿勢からの姿勢復元動作をサポート可能とすることにより、骨盤などの腰部固定保護効果に加え、骨盤を基盤として動作する上体の屈伸動作諸条件における筋肉疲労及び筋力低下などによる姿勢復元力不足や支持力不足がサポートされ、該屈伸動作諸条件で誘発される不快感などが解消されると共に背骨のゆがみや変形などのトラブルからの腰痛を予防し緩和ができるという機能性に優れている。
また、これを装着することにより常に背骨が正常位に保持され、日常生活において例えば重い荷物を持ち上げるときなどは、自然に膝を曲げて腰をおろして持ち上げるようにし体に近づけて持つようになるなど、腰痛の予防や緩和動作を行うことができるという利便性及び効果が大きい。
【００１５】
請求項２の腰部プロテクト板が、腰部固定保護機能と共に一体構成する上体サポート板の弾力負荷に対する耐荷重機構を備えて機能構成され、また、その機能を有効維持するために該腰部所定位置に固定装着可能とするための取付バンドを備えたことは、それぞれに所要とされる機能構成維持及び効果に大いに役立つ。
【００１６】
請求項３の上体サポート板が、上体の前屈位姿勢の姿勢復元動作サポートを有効に作動させるため、該上体サポート板を背骨に沿って背中に装着できるように背負バンドを備えたことは、上体サポート板の機能構成及び効果に大いに役立つ。
【００１７】
請求項４の上体サポート板の有する所定の弾性機能が限度を超える場合に作動可能とし、所要のばね力を構成するスプリング装置を備える連結部を上体サポート板と腰部プロテクト板間に設けたことは、作業動作諸条件においてなされるかもしれない過度な前屈位角度における姿勢変位によって、一体構成の腰部プロテクト板と上体サポート板及びそれぞれ有する機能構成が損なわれ又これによる危険を未然に防止するために大いに役立つ。
【図面の簡単な説明】
【図１】本発明の効果を示す一実施例において、腰部プロテクト板１と一体の上体サポート板２との構成と使用の状態を示す側面図である。
【図２】取付バンド１’付き腰部プロテクト板１と一体構成される背負バンド２’付き上体サポート板２の状態を示す正面図である。
【図３】図２の背面図である。
【図４】腰部プロテクト板１と上体サポート板２の間に設けられたスプリング装置付き連結部３を示す説明図である。
【符号の説明】
１  腰部プロテクト板
１’  取付バンド
２  上体サポート板
２’  背負バンド
３  連結部
４  スプリング装置
【図１】
2004283423.tif 000003
【図２】
2004283423.tif 000004
【図３】
2004283423.tif 000005
【図４】
2004283423.tif 000006